(57)【要約】【課題】繊維に各種の薬理効果を付与する方法につき、製造面からも制約がなく、また安全性の高い治癒効果を有し、自然な風合いの色である繊維製品を提供する。【解決手段】本発明者は、漢方薬成分を繊維に付与すれば、薬理効果を有する繊維製品が得られると考え、検討を重ねた結果、漢方生薬を微粉砕処理したものを用いて繊維を染色すれば、うまく染色が出来、得られた繊維染色物は、天然染め固有の微妙な深みや味わいの素晴らしい色調を呈し、これが、下着や靴下等の肌と接触する肌着として使用すると、個々の漢方薬固有の薬理・治癒効果が発現し、また染色の堅牢度も高く、薬理効果の持続性が高いことを見出した。本発明は、漢方生薬の乾燥物を微粉砕して得た漢方生薬微粉末を用いて繊維を染色することを特徴とする繊維の染色方法であり、漢方生薬の乾燥物の微粉末を用いて染色されてなる繊維染色物である。【特許請求の範囲】
【請求項１】
漢方生薬の乾燥物を微粉砕して得た漢方生薬微粉末を用いて繊維を染色することを特徴とする繊維の染色方法。
【請求項２】
漢方生薬微粉末が２００〜５０メッシュ通過物である請求項１に記載の染色方法。
【請求項３】
漢方薬の乾燥物の微粉末を用いて染色されてなることを特徴とする繊維染色物。
【請求項４】
茄子の乾燥物を微粉砕して得た微粉末を用いて繊維を染色することを特徴とする繊維の染色方法。
【請求項５】
茄子の乾燥物の微粉末を用いて染色された繊維染色物からなる肌着。
【発明の詳細な説明】
【０００１】
【産業上の利用分野】
本発明は、漢方薬を用いた繊維の染色方法およびその染色物に関する。
【０００２】
【従来の技術】
従来から、糸や布等の繊維製品を染めるのに、天然植物から抽出した色素を用いることは広く知られている。これらの代表例は草木染めと称されるもので、種々の天然植物の根、幹、樹皮、葉、花、実等を煎じて抽出された煎汁を染液として使用する。例えば紫に染めるには紫草の根から煎じた抽出液を用いて媒染により、赤色に染めるには茜草の根から熱水で抽出した染液で媒染するか或いは紅花の花びらからアルカリで抽出した染液を用いて直接染法で、また、藍色に染めるには藍の葉を発酵させたスクモによる還元染法で染色される。
【０００３】
天然染料を用いた染色物は微妙な深みや味わいの色調を呈する素晴らしいものであるが、染料の種類は少なく、染法も微妙であるが故に複雑で、安定して絶えず所望の色相を得るのが困難である。
【０００４】
一方、繊維に抗菌性を付与してバクテリヤ等の微生物の生育を防止し、臭気発生や繊維の劣化を防止するいわゆる抗菌加工が知られている。そのような加工処理としては、多くの方法が提案されており、例えば、錫、亜鉛、銅等の有機金属化合物、フェノール系化合物等をバインダーとともに繊維表面に塗布、熱処理し、固定することによって行われている。繊維自体の紡糸前の紡糸原料に銀、銅等の殺菌作用を有するゼオライト粒子を添加混合して殺菌性の繊維を得ることも知られている（特開昭５９−１３３２３５号公報）。
【０００５】
抗菌性に限らず、繊維に各種の性質、例えば、保温性、発熱性、帯電防止性等を付与することもされているが、繊維に殺菌治癒効果、殺菌、傷痍、鎮痛、抗アレルギー等の各種薬理効果を付与することについては、あまり提案はされていない。繊維に薬理効果を付与するには、各種医薬品化合物を繊維製造工程に混入することが考えられるが、繊維製造工場で医薬品を使用することは環境面の制約から難しく、繊維製造後の撚糸・編成・染色工程で変性したり溶出してしまう。
【０００６】
【発明が解決しようとする課題】
繊維に各種の薬理効果を付与する方法につき、製造面からも制約がなく、また安全性の高い治癒効果を有し、自然な風合いの色である繊維製品が望まれている。
【０００７】
【課題を解決するための手段】
本発明者は、漢方薬成分を繊維に付与すれば、薬理効果を有する繊維製品が得られると考え、検討を重ねた結果、漢方生薬を微粉砕処理したものを用いて繊維を染色すれば、うまく染色が出来、得られた繊維染色物は、天然染め固有の微妙な深みや味わいの素晴らしい色調を呈し、これが、下着や靴下等の肌と接触する肌着として使用すると、個々の漢方薬固有の薬理・治癒効果が発現し、また染色の堅牢度も高く、薬理効果の持続性が高いことを見出した。
【０００８】
本発明は、漢方生薬の乾燥物を微粉砕して得た漢方生薬微粉末を用いて繊維を染色することを特徴とする繊維の染色方法である。
【０００９】
また、さらに、第２の発明は、ここで漢方生薬微粉末が２００〜５０メッシュ通過物である染色方法、第３の発明は、漢方生薬の乾燥物の微粉末を用いて染色されてなる繊維染色物であり、第４の発明は、茄子の乾燥物を微粉砕して得た微粉末を用いて繊維を染色する繊維の染色方法であり、第５の発明は、茄子の乾燥物の微粉末を用いて染色された繊維染色物からなる肌着である。
【００１０】
【発明の実施の態様】
本発明で染色の原料として用いる漢方生薬とは、漢方薬原料の生薬（刻み）であり、特には植物性の漢方薬が好ましく挙げられる。好ましい漢方薬としては、ケイヒ、カンゾウ、ウイキョウ、オウバク、カッコン、ショウキョウ、チョウジ、ウイキョウ、オウゴン、カンキョウ、キキョウ、ゲンノショウコ、センキュウ、ウコン等公知のものが好ましく挙げられる。
【００１１】
また、茄子も昔歯痛の時には鎮痛剤としてまた切り傷の時の薬として使用されたように、漢方薬の一種であり、本発明において、好ましく用いられる。茄子としては、各種のものが用いられ、長茄子、千成茄子、ヘビ茄子、マル茄子、タマゴ茄子、アメリカ大茄子、アオナス等が広く使用できる。茄子はアルカロイドを含有し、これが優れた薬理作用を発現する。茄子の使用部位は特に制限されないが、好ましくは茄子の実であり、蔕や皮近辺の部位が染色性と薬理作用の点から好ましい。
【００１２】
本発明においては、これら漢方原料を乾燥したものを微粉砕して漢方生薬微粉末を得て、これを用いて染色を行う。乾燥は天然乾燥でも良いし、熱風乾燥、焼成等人為的乾燥でも構わない。水分含有量が２０重量％以下にするのが染色効率の良い微粉末を得る上でも、また保存性の上からも、また染料として混合沈殿法に使える点からも、好ましい。
【００１３】
漢方薬には、例えば黄色系色素化合物のフラボノイドの一つであるヘスペリジンが含まれ、これが黄色染料として働き染色するが、色素としての機能は弱いので強化しなくては染料としては使えない。特に反応性のカルボキシル基やアミノ基等の反応性基を有さないセルロース繊維である木綿や麻は染着しにくく、今まで十分な鮮明度で染色することは困難であった。
【００１４】
本発明は、漢方生薬を微粉砕して微粉末とすることにより、染料抽出工程において染料の抽出効果は極めて大きく、極めて良好な染着性を発現させる。また染料抽出工程を省略して抽出しながら染着を行う方法でも十分な染着性能を発揮さすことができる。
【００１５】
漢方生薬微粉末は、その粒径が、篩い標準で２００メッシュから５０メッシュとするのが好ましい。特に微粉砕後、篩いを通過させて粒径の大きさを均一にしたものが好ましい。篩いメッシュは２００メッシュ（粒径０．０７４ｍｍに相当）から５０メッシュ（０．２９５ｍｍ）の範囲からのものが好ましく選ばれ、特には１２０メッシュ（０．１２４ｍｍ）〜８０メッシュ（０．１７５ｍｍ）を通過させたものが好ましい。
【００１６】
乾燥果皮を微粉砕する方法は、特に限定されるわけではないが、乾式粉砕が好ましく、高速回転粉砕機、ボールミル、撹拌ミル、ジェット粉砕機等が挙げられる。柑橘類乾燥果皮は乾式粉砕して微粉末とされる。かかる微粉末を得るのに特に好適な装置は、上臼と下臼からなり両者を相対的に反転するように回転させ且つ好ましくは下臼を上下動させながら、上臼と下臼との間に乾燥果皮を供給して粉砕する形式の粉砕機である。いわば石臼の原理によって微細な粉末を均一な粒度のものを得ることができ、前述の好ましい粒径メッシュのものが容易に達成されるので好ましい。この形式の粉砕機は、有限会社西鉄工所よりミクロパウダーＧ−００７の製品名で市販されている。
【００１７】
染色は、漢方生薬微粉末から染料を抽出した染液に繊維を浸漬して染着させる方法でもよいし、染料を抽出する工程と染着する工程を同時に行う方法でもよい。
【００１８】
染液を作るには、漢方生薬微粉末を水に入れ沸騰させて２０分程度熱煎して煎汁をとる。同じようにこの熱煎工程を数回繰り返してもよい。またこの際、灰汁を薄めた水か炭酸カルシウムの例えば５グラム／１０リットル程度の水溶液を用いてもよい。
【００１９】
このようにして作った染液を熱して、繊維を浸漬して１０分間程度煮染する。この染液を得る工程で繊維を浸漬しても染着される。染色時の温度は常温でも良いが、４０〜８０℃程度に温度で行うのが好ましい。温度が低いと染色に時間が長くかかり過ぎ、８０℃を超えると染色操作が難しくなり、また後述する漢方薬の薬理効果が残存し難くなる場合がある。煮染した糸または布等の繊維は冷えるまで静置し、水洗乾燥して染色が完了する。
【００２０】
煮煎後には必要により媒染をしてもよい。媒染するには、アルミ、スズ、クロム、酸、銅、鉄化合物を数％含有する水の媒染液等が使用でき、通常３０分程度媒染する。媒染後は水洗し、再度加熱した染液に煮染してもよい。また特に媒染剤を用いなくとも染色は定着し、その堅牢度も高い。
【００２１】
染色を適用する繊維の種類は天然繊維、合成繊維いずれでもよいが、好ましくは木綿等のセルロース繊維、絹繊維、羊毛繊維、ポリアミド繊維、特には綿繊維あるいはその混紡繊維である。繊維の形状は、糸、織物、編み物、不織布、生地、縫製品等が挙げられる。得られる染色物は、漢方薬が有する固有の爽やかな色で染まる。
【００２２】
さらに、漢方薬固有の薬理効果を繊維が保持し、これを肌と接する肌着や靴下等の肌着にして使用すると、飲んで初めて効く漢方とされた漢方薬が、肌に接することで薬理作用が発現し、例えば鎮痛効果、抗アレルギー効果、殺菌効果、消炎効果等々を発現することができる。
【００２３】
【実施例】
本発明の具体的な実施例について説明する。
長茄子の実を３００℃で焼成乾燥した乾燥物（水分含有量約４重量％）約１００グラムを回転する上臼と下臼を有する製粉機ミクロパウダーＧ−１０７（有限会社西鉄工所社製）を用いて約５分運転して微粉砕して、白色の細かいパウダー状の茄子微粉末を得た。このものを１００メッシュのフィルターを通して粒度の揃った微粉末を得た。
【００２４】
上記微粉末８０グラムを４００ミリリットルの水に入れ沸騰させて２０分間熱煎して染液を得た。これを冷却して温度７０℃に保ちながら木綿布を１０分間浸漬した。冷やして水洗して染色物を得た。
【００２５】
染色物の染色堅牢度の測定結果は以下のとおりで、優れた堅牢度を示した。
2004238771.tif 000002
【００２６】
また黄色ブドウ状球菌（スタフィロコッカス  オーレウスＡＴＣＣ６５３８Ｐ）を用い、ＪＩＳ  Ｌ０２１７による１０回の洗濯後の生菌数の比較による抗菌性の試験結果は、静菌活性を十分有していた。
【００２７】
またこの染色木綿布を用いて作った靴下を、足指に擦り傷を負った患者に履かせたところ、３日後に傷は完治していた。
【００２８】
【発明の効果】
本発明の染色は、今まで十分な染色が達成されなかった漢方薬による染色を可能とし、また天然染め固有の微妙な深みや味わいの素晴らしい色調を呈し、これが、下着や靴下等の肌と接触する肌着として使用すると、個々の漢方薬固有の薬理・治癒効果が発現し、また染色の堅牢度も高く、薬理効果の持続性が高い価値の高いものである。